(57)【要約】【課題】  遊技機には多くの部品が組込まれており、例えば前面扉の裏側に部品同士を前後方向に重ねて配置すると、奥の部品を取外す作業性が頗る悪い。【解決手段】  外枠2と、前面扉3と、中継基板8c等の電気部品とを備え次の要件を具備する遊技機1を提供する。ａ)前面扉3の裏側上方に若干後下がりの状態にして部品設置棚28を設ける。ｂ)部品設置棚28はその後方が外枠2内にまで迫出す大きさとし上面に電気部品を取付ける。ｃ)部品設置棚28は前方を軸着して揺動可能に構成する。ｄ)部品設置棚28は自由端側を下げる向きに力を作用させる付勢手段を有し、それに抗する外力によって自由端側の持上げを可能とし、その外力の解消に伴い付勢手段の作用で復動する。ｅ)部品設置棚28は、通常姿勢で電気部品が外枠2の天板2a内面に近接対向し且つ自由端を持ち上げた姿勢で電気部品が天板2aに干渉する条件を満たす前面扉3の高所に配置する。【選択図】        図１
2005192793.tif 000002
【特許請求の範囲】
【請求項１】
外枠と、その外枠の前面に片開きのドア状に回動可能に取り付けた前面扉と、中継基板などの電気部品とを備え、次の（ａ）〜（ｅ）の要件を具備する遊技機。
（ａ）前面扉の裏側上方に、ほぼ水平か又は若干後下がりの状態にして板状の部品設置棚を設ける。
（ｂ）前記部品設置棚は、その後方が外枠内にまで迫り出す大きさとし、上面に１又は２以上の電気部品を取り付ける。
（ｃ）前記部品設置棚は、前方を軸着し後端を自由端として上向き揺動可能なように構成する。
（ｄ）前記部品設置棚は、自由端側を下げる向きに力を作用させる付勢手段を有し、その付勢手段に抗する外力によって自由端側の持ち上げを可能とし、その外力の解消に伴い付勢手段の作用で元位置に復動する。
（ｅ）前記部品設置棚は、ほぼ水平又は若干後傾する通常姿勢で前記電気部品が外枠の天板内面に近接対向し且つ自由端を持ち上げた姿勢で前記電気部品が外枠の天板に干渉する条件を満たす前面扉の高所に配置する。
【発明の詳細な説明】
【技術分野】
【０００１】
本発明は、スロットマシンやパチンコ機などの遊技機に関する。
【背景技術】
【０００２】
スロットマシンやパチンコ機などの遊技機は、通常、外枠と、その外枠の前面に片開きのドア状に回動可能に取り付けた前面扉と、中継基板などの電気部品その他の部品を有する。
この遊技機の外枠や前面扉は寸法がほぼ決められている。
一方、遊技機は高度化・複雑化しており、外枠と前面扉の内部に非常に多くの部品が組み込まれている。
【発明の開示】
【発明が解決しようとする課題】
【０００３】
上記のように遊技機は決められたスペースに多くの部品を組み込む必要があるため、使い勝手を犠牲にしても組み込みを優先させなければならない場合がある。例えば前面扉の裏側に部品同士を前後方向に重ねて配置するケースがあり、そうすると奥の部品を取り外すのに手前の部品から順に取り外す必要があって作業性が頗る悪い。特に、電気部品の場合は、コネクタの着脱が必要になるためさらに作業性が悪化する。
【課題を解決するための手段】
【０００４】
外枠と、その外枠の前面に片開きのドア状に回動可能に取り付けた前面扉と、中継基板などの電気部品とを備え、次の（ａ）〜（ｅ）の要件を具備する遊技機を提供する。
（ａ）前面扉の裏側上方に、ほぼ水平か又は若干後下がりの状態にして板状の部品設置棚を設ける。
（ｂ）前記部品設置棚は、その後方が外枠内にまで迫り出す大きさとし、上面に１又は２以上の電気部品を取り付ける。
（ｃ）前記部品設置棚は、前方を軸着し後端を自由端として上向き揺動可能なように構成する。
（ｄ）前記部品設置棚は、自由端側を下げる向きに力を作用させる付勢手段を有し、その付勢手段に抗する外力によって自由端側の持ち上げを可能とし、その外力の解消に伴い付勢手段の作用で元位置に復動する。
（ｅ）前記部品設置棚は、ほぼ水平又は若干後傾する通常姿勢で前記電気部品が外枠の天板内面に近接対向し且つ自由端を持ち上げた姿勢で前記電気部品が外枠の天板に干渉する条件を満たす前面扉の高所に配置する。
【発明の効果】
【０００５】
本発明の遊技機は、外枠の天板近くのいわゆるデッドスペースに部品設置棚を設けて電気部品を設置したため、従来前面扉の裏側に前後方向に重ねて配置していた部品同士を切り離して配置することができる。そして、前面扉を開いて部品設置棚の後方を持ち上げてその傾きを変えれば、他の部品の前面扉からの着脱が支障なく行えるため、メンテナンス等の作業効率が向上する。また、部品設置棚の後方を支えていた手を離せば、外力から解放された部品設置棚が付勢手段の作用で自然に元位置に復動するため、前面扉を閉める際に部品設置棚にある電気部品が外枠に衝突する危険もない。
【発明を実施するための最良の形態】
【０００６】
以下に本発明の実施の形態を遊技機たるスロットマシンを例示して図面を参照しつつ説明する。なお、図１は前面扉を一点鎖線にして示す要部の断面図、図２は前面扉を開いた状態を示すスロットマシンの斜視図、図３はスロットマシンの斜視図、図４は電気部品の着脱時の状態を示す要部の断面図、図５は電気部品の着脱時の状態を示す要部の斜視図、図６は前面扉側の支持部材と部品設置棚を示す斜視図、図７は図６の分解斜視図である。
【０００７】
スロットマシン１は、前面が開口する箱形態の外枠２と、その外枠２の前面に片開きのドア状に回動可能に取り付けた前面扉３と、景品として遊技者に遊技媒体（以下「メダル」という。）を放出する遊技媒体放出装置（以下「メダル放出装置」という。）４と、前面扉３の下方に設けたメダル貯留用の受皿５と、個別に回転可能な三個のリール６ａ，６ｂ，６ｃを主要構成要素とする図柄変動装置６と、図柄変動装置６の上方に配置したサブ表示ユニット８と、メイン基板９と、電源装置１０とから概略構成される。
【０００８】
［外枠］
前記外枠２は木製の箱形態であって、天板２ａと、底板２ｂと、２枚の側板２ｃ，２ｃの計４枚で正面視四角形に枠組みした側枠と、その側枠の背面を覆う背板２ｄとからなり、高さのほぼ中央に棚板状の仕切板１１が設けてある。この外枠２の仕切板１１より下の領域に前記メダル放出装置４と電源装置１０が、また仕切板１１の上に図柄変動装置６が、さらにまた仕切板１１より上の背板２ｄに前記メイン基板９が設置されている。
【０００９】
［前面扉］
前面扉３は外枠２の前面に片開きのドア状に回動可能に取り付けられている。前面扉３は、表側の下方にメダル貯留用の受皿５を有すると共にほぼ中央に操作部１２を有する。この操作部１２にはメダル投入用の投入口１３と、前記メイン基板９のメモリーにデータとして蓄えられているメダルから一枚のみの投入を指示する１枚投入ボタン１４と、同じく二枚のみの投入を指示する２枚投入ボタン１５と、同じく一回のゲームで使用可能な最高枚数（例えば三枚）の投入を指示するMAX投入ボタン１６と、途中で詰まったメダルを受皿５に戻すためのメダル返却ボタン１７と、メイン基板９のメモリーにデータとして蓄えられているメダルの貯留解除命令（精算による放出命令）を入力するための貯留解除スイッチ１８と、図柄変動装置６を作動させる始動レバー１９と、図柄変動装置６の各リール６ａ，６ｂ，６ｃを停止させる三個のリール停止ボタン２０ａ，２０ｂ，２０ｃなどを有する。もちろんここに示した操作部１２の構成は一つの例示であり、これらに限定されるものではない。
【００１０】
また、前面扉３は、操作部１２より上方に前記図柄変動装置６のリール６ａ，６ｂ，６ｃに対応する透明な主窓２１を有し、その主窓２１と操作部１２の間に例えばメイン基板９のメモリーにデータとして蓄えられているメダル数などを適宜表示する各種情報表示部２２を有し、さらに主窓２１より高所の中央に遊技者と正対可能なように前傾させたサブ表示窓２３を有する。そして、このサブ表示窓２３の裏側に動画や静止画を表示するためのサブ表示ユニット８が設けられている。
【００１１】
［サブ表示ユニット］
サブ表示ユニット８は、液晶などの画像表示装置８ａと、その画像表示装置８ａを制御するサブ基板８ｂと、サブ基板８ｂの下にあってそのサブ基板８ｂに電気的に接続されている中継基板８ｃとからなる。なお、図中符号８ｘはサブ基板８ｂのスロットに装着したＲＯＭ、また、符号８ｙ，８ｙ…は中継基板８ｃに設けた複数のコネクタである。
【００１２】
前記画像表示装置８ａは図６，図７に示した支持部材２６によって前面扉３に取り付けられている。この支持部材２６は、前面扉３の裏側に図１に示したように前縁を低く後縁を高くしたいわゆる前傾姿勢でビス止めされるベース板２６ａと、そのベース板２６ａ上に立設した二枚の支板２６ｂ，２６ｂで概略構成され、支板２６ｂの高さの中間部分に形成した雌ネジ板２６ｃ，２６ｃに画像表示装置８ａの装置ボックス８ｄの取付片８ｅ，８ｅを重合させ、その取付片８ｅを雌ネジ板２６ｃにビス２７で締め付ける。前記のように支持部材２６は前傾姿勢になっているため、それに合わせて画像表示装置８ａも前傾する。従って画像表示装置８ａの表示画面もサブ表示窓２３の奥から遊技者に正対する。
【００１３】
一方、支持部材２６の支板２６ｂの上部には部品設置棚２８が取り付けられ、その部品設置棚２８の上面に前記サブ基板８ｂと中継基板８ｃが取り付けられている。部品設置棚２８は、板状である棚主体２８ａの両端に逆さＬ字状の受片２８ｂを形成し、さらにその受片２８ｂの端部に垂直な軸受片２８ｃを立設してなり、その軸受片２８ｃの前方に軸孔２８ｄを穿設してなる。そして、この軸孔２８ｄに前記支板２６ｂのピン２６ｅを通すことにより支持部材２６に対し揺動自在に軸着される。また、支持部材２６の支板２６ｂには部品設置棚２８に向けて横向きの止め片２６ｄが切り起こされており、その止め片２６ｄに前記部品設置棚２８の受片２８ｂが載る。この止め片２６ｄに受片２８ｂが載った状態で部品設置棚２８は図１に示したように若干後下がりの状態になり、この状態で後方が外枠２内にまで迫り出す。部品設置棚２８は揺動中心と重心の関係から明らかなように自重によるバランスで自由端側を下げる向きに付勢されており、従って本実施形態では部品設置棚２８の自重によるバランスが自由端側を下げようとする付勢手段である。
【００１４】
前面扉３に対する部品設置棚２８の配置は、前記のように受片２８ｂが支持部材２６の止め片２６ｄに載った通常姿勢で、サブ基板８ｂなどの電気部品が外枠２の天板２ａ内面に近接対向し且つ前記のように自由端を必要量だけ持ち上げた姿勢で、前記電気部品が外枠２の天板２ａに干渉する条件を満たす高所とする。
【００１５】
以上のようにして部品設置棚２８に設置した中継基板８ｃに対し、画像表示装置８ａに繋がるハーネスの先にあるコネクタ（図示せず）を中継基板８ｃのコネクタ８ｙに差し込めば画像表示装置８ａとサブ基板８ｂが電気的に接続され、また、同様にメイン基板９に繋がるハーネスの先にあるコネクタ（図示せず）を中継基板８ｃのコネクタ８ｙに差し込めばメイン基板９とサブ基板８ｂが電気的に接続される。また、サブ基板８ｂが、前面扉３に設けられている装飾ランプ類の制御を行うようにプログラムされている場合には、それら装飾ランプ類に繋がるハーネスの先にあるコネクタ（図示せず）が中継基板８ｃのコネクタ８ｙに差し込まれる。
【００１６】
なお、実施形態のように部品設置棚２８を若干後下がりにした場合には、中継基板８ｃのコネクタ８ｙ，８ｙ…の位置が作業者から見え易くなるため、中継基板８ｃに対するコネクタ類の抜き差しが容易になる。また、部品設置棚２８をほぼ水平か又は若干後下がりの状態にした場合であって実施形態のように電気部品のコネクタの接合方向を上下方向に特定した場合には、コネクタ同士の接合不良が起き難くなる特有の効果が期待できる。すなわち、前面扉３と外枠２は、ヒンジ側が蝶番金具（図２符号Ｔ参照。）で連結され、非ヒンジ側が係脱自在な係合手段（図２符号Ｋ参照。）で連結されており、前面扉３を開閉させるのに係合手段Ｋの掛け外しが必要である。一方、前面扉３は非常に重く、開いた状態で非ヒンジ側が下がるため、下がった係合手段Ｋの位置を補正する必要から非ヒンジ側を持ち上げ気味にして前面扉３を閉じる。そうすると中継基板８ｃが外枠２の天板２ａに接近することになり、中継基板８ｃに接続されているハーネスが天板２ａに当たって撓む。従ってその反力がハーネスを通じてコネクタに加わることになる。しかして実施形態ではその力がコネクタ同士の接合方向、つまり上から下に押し下げる方向に作用するため、コネクタ同士の接合がより強固になるのである。
【００１７】
［画像表示装置の着脱］
次ぎにメンテナンス等に際し、画像表示装置８ａを前面扉３から取り外す場合の手順について説明する。先ず、図１矢示（イ）のように前面扉３を開く。もちろん支持部材２６は前面扉３と一体であるからサブ表示ユニット８も前面扉３に付いていく。
次ぎに、前面扉３の裏側から画像表示装置８ａと支持部材２６を止めているビス２７を外す。そして、部品設置棚２８の自由端を手で持ち図１矢示（ハ）の方向に外力を加え、図２のように部品設置棚２８の棚主体２８ａの向きが支持部材２６のベース板２６ａとほぼ平行になるまで傾ける。そうするとベース板２６ａと棚主体２８ａの間に画像表示装置８ａが通過可能な通路ができるため、図２のように画像表示装置８ａをベース板２６ａに沿って摺動させ、支板２６ｂ，２６ｂの間から引き抜く。その後、部品設置棚２８から手を離して外力から解放すると自重によるバランスにより、すなわち付勢手段の作用により両横の受片２８ｂが支板２６ｂの止め片２６ｄに載る元位置まで復動する。
【００１８】
次ぎに画像表示装置８ａを元に戻す場合は、上記と逆の手順を実行して画像表示装置８ａを支持部材２６，２６間に戻した後、前記ビス２７で固定する。一方、部品設置棚２８は手を離すと同時に付勢手段の作用で元位置に復動しているため、何の問題もなく前面扉３を閉じることができる。ちなみに、例えば支持部材２６に適宜なロック機構を設けて部品設置棚２８を図２の前傾姿勢で止められるようにした場合、ロックを外し忘れて前面扉３を閉じるおそれがあり、そうするとサブ基板８ｂや中継基板８ａが外枠２に衝突して破損する。
【００１９】
なお、上記説明では部品設置棚２８の揺動を直接手で行わせるようにしたが、両手で画像表示装置８ａを持つような場合には、画像表示装置８ａの上面を使って部品設置棚２８を揺動させるようにしてもよい。このような取り扱いを前提とする場合には、図８に示したように部品設置棚２８の棚主体２８ａの自由端側に屈曲片２８ｆを形成してその屈曲部と画像表示装置８ａの装置ボックス８ｄの上面とが擦れ合うようにするとよい。そうすることにより装置ボックス８ｄが棚主体２８ａのエッジに引っ掛かるおそれがなく、装置ボックス８ｄの損傷防止効果並びに作業性の向上効果が見込める。また、それ以外の作業性向上策として、部品設置棚２８に公知のワンウェイダンパー機構（図示しないが、例えば流体シリンダーによって一方向の動きに対して抵抗を加えるようにしたものなどがある。）を設けて部品設置棚２８の復動に抵抗が加わるようにしてもよい。そうすることにより部品設置棚２８が緩やかに復動するから、その間に画像表示装置８ａ（電気部品）の組み込みが両手で能率良く行える。
【００２０】
以上本発明を実施の形態について説明したが、もちろん本発明は上記実施形態に限定されるものではない。例えば実施形態では部品設置棚２８に設置する電気部品として中継基板８ｃとサブ基板８ｂを例示したが、電気部品は、中継基板８ｃ単体、サブ基板８ｂ単体、或いはそれ以外であってもよい。もっとも画像表示装置８ａと中継基板８ｃとサブ基板８ｂは、サブ表示ユニット８として集中配置する必要があり、また、サブ表示ユニット８の配置も前面扉３の高所に限定され、その結果、画像表示装置８ａは前傾させる必要がある、等の諸条件から、中継基板８ｃ及び／又はサブ基板８ｂが、部品設置棚２８に設置する電気部品の実施態様として最適である。なお、従来のサブ表示ユニット８は画像表示装置の裏側に中継基板とサブ基板を前後方向に重ねて配置しており、画像表示装置を着脱するのに一々中継基板とサブ基板を外す煩わしさと作業性の悪さが問題になっていた。
【００２１】
また、実施形態では部品設置棚２８の付勢手段として自重によるバランスを例示したが、バネのような弾性材で付勢手段を構成してもよい。例えば部品設置棚２８の揺動中心たる前記ピン２６ｅにリング状の弾性材を装填して部品設置棚２８に必要な回転力を付与する、或いは部品設置棚２８の自由端側に弾性材を引っ掛けて引っ張り又は圧縮力を付与する、というものである。そうした場合には、前面扉３を閉じる際に仮に下から突き上げる衝撃を受けても部品設置棚２８が勝手な揺動をしないから、そのような衝撃で電気部品が外枠２に衝突するおそれもない。なお、実施形態でも斯かるトラブルへの対応策として、部品設置棚２８の軸受片２８ｃと支持部材２６の夫々に、部品設置棚２８が通常位置にあるとき互いに合致する連結孔２９，２９が設けてあり、この連通孔２９，２９にピン状のものを差し込むことが出来るようになっている。これにより部品設置棚２８の無用な揺動が防止できる。
【００２２】
また、実施形態では支持部材２６と部品設置棚２８を前面扉３側の部品として記載したが、支持部材２６と部品設置棚２８をサブ表示ユニット８側の構成要素として把握し、それらを含む全構成要素を事前に組み合わせてサブ表示ユニット８を完成させ、そのサブ表示ユニット８の支持部材２６を前面扉３に固着するようにしてもよい。もちろんサブ表示ユニット８を前面扉３に組み込んだ後の説明は、実施形態と同じである。
【図面の簡単な説明】
【００２３】
【図１】前面扉を一点鎖線にして示す要部の断面図である。
【図２】前面扉を開いた状態を示すスロットマシンの斜視図である。
【図３】スロットマシンの斜視図である。
【図４】電気部品の着脱時の状態を示す要部の断面図である。
【図５】電気部品の着脱時の状態を示す要部の斜視図である。
【図６】前面扉側の支持部材と部品設置棚を示す斜視図である。
【図７】図６の分解斜視図である。
【図８】他の形態を示す要部の断面図である。
【符号の説明】
【００２４】
１  …スロットマシン（遊技機）
２  …外枠
２ａ…天板
３  …前面扉
８ｃ…中継基板（電気部品）
２８…部品設置棚
【図１】
2005192793.tif 000003
【図２】
2005192793.tif 000004
【図３】
2005192793.tif 000005
【図４】
2005192793.tif 000006
【図５】
2005192793.tif 000007
【図６】
2005192793.tif 000008
【図７】
2005192793.tif 000009
【図８】
2005192793.tif 000010